(57)【特許請求の範囲】
【請求項１】
容器の開口に結合される本体；
前記本体から外向に突出されて前記容器を傾ける場合に内容物が流れ出るように形成された第１流出通路と前記容器を正しく立てた状態で吸引力により内容物が吸い出されるように形成された第２流出通路とを備える流出手段；
前記流出手段に結合される栓；および
折曲手段
からなり、前記栓が結合された流出手段は、内容物の排出および吸入が容易になるように、前記本体に対して前記折曲手段により曲がって折られる位置と、本体の外側に広げられて立てられる位置との間を移動するように構成されたことを特徴とする複数の飲料流出通路を備え、
前記折曲手段が、本体と流出手段のあいだに連結されて前記流出手段の折曲動作を実現する折曲余裕部と、前記折曲余裕部の反対側の本体と流出手段のあいだに連結されて前記流出手段の折曲基準軸になる折曲境界部とからなり、
前記折曲余裕部が、本体の端部から上向に突出形成されたもので、折られたとき、前記流出手段を斜めに寝かすように構成されることを特徴とする容器蓋体。
【請求項２】
前記本体が、切取線で区画されて容器の上端部に係合して固定される係合あご部を備える開放確認用スカートを含んでいる請求項１記載の複数の飲料流出通路を備える容器蓋体。
【請求項３】
前記本体が、容器の上端部が差し込まれて密閉結合される挿入溝を含んでいる請求項１記載の複数の飲料流出通路を備える容器蓋体。
【請求項４】
前記本体が、容器に接着密封されてなる請求項１記載の複数の飲料流出通路を備える容器蓋体。
【請求項５】
前記本体が、容器の上端部にインサート方式で一体成型されてなる請求項１記載の複数の飲料流出通路を備える容器蓋体。
【請求項６】
前記本体が、容器と一体成型されてなる請求項１記載の複数の飲料流出通路を備える容器蓋体。
【請求項７】
前記折曲手段により折られる流出手段を収納するために本体に形成された空間を含む請求項１記載の複数の飲料流出通路を備える容器蓋体。
【請求項８】
前記第２流出通路が、第１流出通路の内部に設置される小直径の流出管を含み、前記流出管は第１流出通路の上側に突出された上端から容器の底に近接した下端まで連通される請求項１記載の複数の飲料流出通路を備える容器蓋体。
【請求項９】
前記第２流出通路が、第１流出通路の内部に支持手段により支持されて、また上下動できるように設置された作動流出管を含み、前記作動流出管は、第１流出通路の上側に突出された上端から容器の底に近接した下端まで連通されるもので、前記作動流出管の上端に外向突起を形成して栓の内向突起に弾性的に係合して固定されてなる請求項１記載の複数の飲料流出通路を備える容器蓋体。
【請求項１０】
前記栓が、流出手段の外周にねじ結合され、切取線で区画されて本体に係合して固定される係合あご部を備える開放確認用スカートを含む請求項１記載の複数の飲料流出通路を備える容器蓋体。
【請求項１１】
前記折曲手段が、流出手段に形成されたベローズベンディング部を含む請求項１記載の複数の飲料流出通路を備える容器蓋体。
【請求項１２】
前記空間の側壁に折られた状態の流出手段および栓の抜きを防止するために設置された弾性突起を含み、前記弾性突起は前記栓が弾力的に移動することができる程度の大きさに形成されてなる請求項７記載の複数の飲料流出通路を備える容器蓋体。
【請求項１３】
前記流出管にベーロズベンディング部が形成されてなる請求項８記載の複数の飲料流出通路を備える容器蓋体。
【請求項１４】
前記流出管が、フレキシブルな合成樹脂で形成されてなる請求項８記載の複数の飲料流出通路を備える容器蓋体。
【請求項１５】
前記流出管が、上部流出管と、前記上部流出管に差し込まれるストローとからなり、前記ストローにベローズベンディング部が形成されてなる請求項８記載の複数の飲料流出通路を備える容器蓋体。
【請求項１６】
前記流出管が、支持部材を介して第１流出通路の内部に設置されてなる請求項８記載の複数の飲料流出通路を備える容器蓋体。
【請求項１７】
前記作動流出管にベローズベンディング部が形成されてなる請求項９記載の複数の飲料流出通路を備える容器蓋体。
【請求項１８】
前記作動流出管が、フレキシブルな合成樹脂で形成されてなる請求項９記載の複数の飲料流出通路を備える容器蓋体。
【請求項１９】
前記作動流出管が、支持部材により固定された下部流出管と、前記下部流出管に差し込まれて上下移動される可動流出管とからなり、前記下部流出管にベローズベンディング部が形成されてなる請求項９記載の複数の飲料流出通路を備える容器蓋体。
【請求項２０】
前記折曲余裕部に折りたたみ部が形成されてなる請求項１記載の複数の飲料流出通路を備える容器蓋体。
【請求項２１】
前記折曲余裕部が、本体の凹面空間を形成する側壁の下端で流出手段とのあいだに連結され、前記流出手段が折られるとき、凹面空間の底面と側壁を構成する請求項１記載の複数の飲料流出通路を備える容器蓋体。
【請求項２２】
前記流出手段と本体の上面に固定スティッカーを付着する請求項１記載の複数の飲料流出通路を備える容器蓋体。
【発明の詳細な説明】
【０００１】
【発明の属する技術分野】
本発明は、容器に入れられた飲料などの内容物を吸引通路を通じて飲用したり、排出通路を通じて他の容器に移すようにした複数の飲料流出通路を備える容器蓋体に関し、とくに吸引通路と排出通路を含む流出手段を折ったり広げたりして保管、移動そして内容物の吸引および排出を容易にする容器蓋体に関する。
【０００２】
【従来の技術】
通常、コーラ、ジュース、または水などの飲料はその種類にしたがって多様な形態の容器に入られて包装、運搬および市販される。
【０００３】
このような飲料容器は、アルミニウム製の缶とか合成樹脂製の容器本体に蓋を結合して構成することができ、これらは使用者の選択にしたがって容器の上面に設置された開放装置を開けて口で直接飲んだり、別途のストローを通じて内容物を吸引するようにしている。
【０００４】
しかし、容器に口を当てて直接に飲料を飲む場合は、保管とか移動中に表面に付いた異物質とか埃を共に飲むことになって非衛生的であり、飲むとき、首を後ろに反らす不便があって内容物を零す問題点があるので、ストローを用いて内容物を吸引する場合が多い。しかし、ストローを用いる場合には別途にストローを準備すべきであるが、見落とす場合が多いし、飲料容器と共にストローを準備すべきであるので、携帯および保管が不便という問題点がある。
【０００５】
このような不便な問題点を解決するためのものとして、従来より公知の他の容器ではその表面にストローを接着させて一体化している。
【０００６】
また、韓国登録実用新案第２０−１７６９２３号および同第２０−１９３５４９号明細書には、内部にストローを備える飲料容器の構造が開示されている。しかし、前記のような公知のストローを備える飲料容器は、使用者の吸引力による飲用のみを考慮しているので、容器の内部に入れられた飲料を他の容器に注ぐことが不可能であり、また不便な問題点がある。また、公知のストローを備える飲料容器は使用者が直接に口で吸引するストローの上端部分が外部に露出される構造になっており、保管や運搬が不便であり、保管および運搬のあいだに汚染され易い問題点がある。
【０００７】
【発明が解決しようとする課題】
前記従来技術の問題点を解決するために、本発明の目的は、容器に入れられた飲料を吸引して容易に飲用することができると共に他の容器に注ぐこともできる容器蓋体を提供することである。
【０００８】
本発明の他の目的は、容器の外部に露出される流出通路を折ったり、広げたりして使用者が直接吸引する表面の汚染を防止し、保管および移動を便利にする容器蓋体を提供することである。
【０００９】
本発明のさらに他の目的は、流出通路の密閉性を向上させる容器蓋体を提供することである。
【００１０】
【課題を解決するための手段】
前記目的を達成するために、本発明は、容器の上端開口に結合される本体；前記本体から外向に突出されて前記容器を傾ける場合に内容物が流れ出るように形成された第１流出通路と前記容器を正しく立てた状態で吸引力により内容物が吸い出されるように形成された第２流出通路を備える流出手段；前記流出手段に結合される栓；および折曲手段からなり、前記栓が結合された流出手段は、内容物の排出および吸入が容易になるように、前記折曲手段により曲がって折られたり、本体の外側に広げられて立てられるように構成された複数の飲料流出通路を備える容器蓋体を提供する。
【００１１】
前記本体は切取線で区画されて容器の上端部に係合して固定される係合あご部を備えて本体の開放時に切り取られる開放確認用スカートを含んで構成されている。
【００１２】
望ましくは、前記本体は、容器の上端部が差し込まれる挿入溝を備えて容器に密閉結合されたり、前記容器の上端面に接着密封されたり、または容器の上端部にインサート方式で一体成型される。また、前記本体は容器の下端部まで延長される形態で一体成型することができる。
【００１３】
前記本体は折曲手段により折られる流出手段を収納するための空間を含む。前記空間の側壁には、折られた状態の流出手段および栓の抜きを防止するために弾性突起を設置する。前記弾性突起は前記栓が弾力的に移動することができる程度の大きさに形成するのがよい。
【００１４】
望ましくは、前記第１流出通路は、本体から延長されて外部に突出形成され、内容物の排出のために中孔を備えて形成された排出口を含んで構成する。前記排出口の内部に空気流入孔をさらに形成することができる。
【００１５】
望ましくは、前記第２流出通路は、第１流出通路の内部に支持部材を介して設置される小直径の流出管を含み、前記流出管は第１流出通路の上側に突出された上端から容器の底に近接した下端まで連通されるように形成する。ここで、前記流出管には下部一端にベローズベンディング部を形成したり、またはフレキシブルな合成樹脂材で形成して折曲作動が容易になるようにする。また、前記流出管は上部流出管と前記上部流出管に差し込まれるストローで構成することもでき、前記ストローにはベローズベンディング部を形成するのがよい。
【００１６】
他の実施形態として、前記第２流出通路は、第１流出通路の内部に支持手段により支持されて、また上下動できるように設置された作動流出管を含み、前記作動流出管は、第１流出通路の上側に突出された上端から容器の底に近接した下端まで連通して形成され、前記作動流出管の上端に外向突起を形成して栓の内向突起に弾性的に係合して固定されて、前記栓を開放するとき、一定の長さだけ引き上げるように構成する。ここで、前記作動流出管には下部の一端にベローズベンディング部を形成したり、またはフレキシブルな合成樹脂材で形成して折曲作動が容易になるようにする。また、前記作動流出管は、支持部材により固定された下部流出管と、前記下部流出管に差し込まれて上下移動される可動流出管とからなり、前記下部流出管にベローズベンディング部を形成する。
【００１７】
本発明において前記栓は流出手段の外周にねじ結合され、切取線に区画されて本体に係合して固定される係合あご部を備える開放確認用スカートを含む。
【００１８】
望ましくは、前記折曲手段は、流出手段の一部にベローズベンディング部を形成して構成することができる。
【００１９】
また、前記折曲手段は本体と流出手段のあいだに連結されて前記流出手段の折曲動作を実現する折曲余裕部と、前記折曲余裕部の反対側の本体と流出手段のあいだに連結されて前記流出手段の折曲基準軸になる折曲境界部とからなる。このとき、前記折曲余裕部に折りたたみ部を形成して折曲動作がより容易になるようにする。
【００２０】
前記折曲余裕部は、本体の凹面空間を形成する側壁の下端で流出手段とのあいだに連結されるもので、前記流出手段が折られるとき、凹面空間の底面と側壁を構成する。また、前記折曲余裕部は、本体の端部で上向に突出形成されたもので、折られたとき、前記流出手段を斜めに寝かすように構成することができる。このとき、前記流出手段と本体の上面に固定スティッカーを付着して支持固定されるようにするのがよい。
【００２１】
【発明の実施の形態】
以下、添付図面に基づいて本発明を実現する望ましい実施の形態を説明する。
【００２２】
実施の形態１
図１〜４は本発明の一つの実施の形態を示す。図示したように、本発明の複数の飲料流出通路を備える容器蓋体は、飲料が入れられた容器Ｃの上端の開口に密閉結合されるものであり、その構成を見ると、前記飲料容器Ｃに組立または接着される本体１００と、飲料容器Ｃの内部に入れられた飲料を吸引通路を通じて飲用したり排出通路を通じて他の容器に注ぐようにするもので、広げられる場合に前記本体１００の上部に突出されて、折られる場合に前記本体１００の内側空間１０２に収納される流出手段２００と、前記流出手段２００にねじ結合方式で密閉結合される栓３００とからなる。
【００２３】
本体１００は飲料容器Ｃの上端開口に形成された環状突起２が挿入される挿入溝１０４を備えており、密閉結合される。挿入溝１０４の他の構造として、図５は本体１００の内周側に固定結合あご部１０６を形成して飲料容器Ｃの上端の環状突起２が挿入結合されるようにした構造を示している。
【００２４】
また、本体１００は図６に示すように、飲料容器Ｃの上端部にインサート方式で一体成型することができるし、図７に示すように、内周面にねじ山１０８を形成して飲料容器Ｃの開口外周面にねじ結合方式で締結することができるし、図８、図９、図１０に示すように、飲料容器Ｃの上端部または上端面に接着材を介したり熱圧着方式により接着密封することができる。
【００２５】
このように結合された本体１００は、下端部に切取線１1０で区画された開放確認用スカート１１２を備えている。開放確認用スカート１１２は飲料容器Ｃの上端部の外周に形成された突起４に固定される係合あご部１１４を備えており、本体の開放時に切り取られるので、偽造を防止することができる。
【００２６】
本発明において、折られた場合に前記本体１００の凹面空間１０２に収納され、広げられた場合に本体１００の上部に突出される流出手段２００は、飲料容器Ｃの内部に入れられた飲料を使用者の吸引力により流出されるようにする第１流出通路２０２と、前記飲料容器Ｃを傾ける場合（図４参照）に飲料が外部に流れて排出されるようにする第２流出通路２０４などの複数の流出通路とからなる。ここで、第１流出通路２０２を通じて飲料が吸引される場合、第２流出通路２０４を通じて空気が流入され、第２流出通路２０４を通じて飲料が排出される場合には第１流出通路２０２を通じて空気が流入される。
【００２７】
より詳しくは、第１流出通路２０２は本体１００に連結されて一体に形成されて外側に上向突出された構造の排出口２０６を含む。排出口２０６は飲料などの内容物の排出通路として中孔２０８を備えて構成される。
【００２８】
第２流出通路２０４は、第１流出通路２０２の内部中孔２０８に別途の小直径流出管２１０を設置して構成される。流出管２１０は第１流出通路２０２の上側に一定の長さだけ突出されるように形成し、その上端から飲料容器Ｃの底に近接した下端まで連通されるように形成する。
【００２９】
このような流出管２１０は、流出手段２００の折曲動作時に、曲がることを容易に実現するためにフレキシブルな合成樹脂材料で形成したり、図１１に示すように、下部の一側にベローズベンディング部２１２を形成する。
【００３０】
また、前記流出管２１０は図１２に示すように、支持部材２１４を介して第１流出通路２０２の内部に固定設置することができる。このとき、流出管２１０は一般的に知られているストローを用いることができる。
【００３１】
図１３は第２流出通路２０４の他の実施の形態を示している。図において、第２流出通路２０４は第１流出通路２０２の内部に上部流出管２１０′を固定設置し、前記上部流出管２１０′の内部に別途のストロー２１６を挿入した構造であり、前記ストロー２１６は折曲性をよくするためにベローズベンディング部２１８を含んで構成される。
【００３２】
このように構成された流出手段２００は、飲料容器の運搬および保管のあいだに内部に入れられた飲料の流出を防止するために栓３００により密閉される。栓３００は内周面にねじ山を設け、流出手段２００を構成する排出口２０６の外周面にねじ結合方式に締結され、その下端部は流出手段２００の下端部に近接する位置まで延長されて、飲料などの内容物の出入口の辺りを完全にカバーして汚染を防止するようになっている。
【００３３】
栓３００は下端部に切取線３０２で区画された開放確認用スカート３０４を備えている。開放確認用スカート３０４は排出口２０６の下部の外周に形成された突起２０６ａに固定される係合あご部３０６を備えて開放時に切り取られるので、偽造を防止することができる。
【００３４】
本発明において、栓３００が結合された流出手段２００は、折曲手段により本体１００の凹面空間１０２の内部に折られたり（図３参照）、本体１００の上側に直立するように広げられる（図１および図２参照）。
【００３５】
凹面空間１０２に収納された栓３００および流出手段２００は、前記空間１０２の側壁に設置された弾性突起１１６により離脱および抜けが防止される。前記弾性突起１１６は栓３００が弾力的に移動する程度の大きさに形成して使用者が手に取って引くと容易に抜けるようにする。このとき、凹面空間１０２のサイド側には使用者の手が容易に挿入されるようにする溝１０２ｂを形成するものがよい。
【００３６】
前記流出手段２００が折られたり広げられるようにする折曲手段は、流出手段２００の折曲動作を実現するための折曲余裕部１１８と、前記折曲余裕部１１８の反対側の本体１００と流出手段２００のあいだに連結されて折曲基準軸になる折曲境界部１２０とからなる。
【００３７】
折曲余裕部１１８は図２、図１４および図１５に示すように、本体１００の凹面空間１０２を形成する側壁１０２ａの下端で流出手段２００とのあいだにフレキシブルに曲がったり、折られることができる余裕部を形成するもので、前記流出手段２００が折られるときには凹面空間１０２の底面と側壁を構成するようになる。折曲余裕部１１８は一度または二度曲げることができる。
【００３８】
また、折曲余裕部１１８は流出手段２００の折曲をより容易に実現するために一側に折りたたみ部１２２を形成する。
【００３９】
折曲手段の他の実施の形態を図１６に示す。ここに図示された折曲手段は、流出手段２００の下部、とくに排出口１０６の下部にベローズベンディング部２２０を形成して折曲動作が実現されるようにする。このような形態を取る場合、本体１００は前記構造とは異なって、飲料容器Ｃの上面の一部に開口を穿孔して結合される。このとき、本体１００は流出手段２００が収納される空間がない簡単な構造になり、図１０に示すように飲料容器Ｃの内部に収納される簡単な構造でできる。このような場合には、本体１００と流出手段２００を同時に固定スティッカーで付着支持するのがよい。また、図９に示すように本体１００の凹面空間１０２に収納される構造で形成することもできる。
【００４０】
実施の形態２
図１７〜１９は本発明の他の実施の形態を示す。図示したように、本発明の複数の飲料流出通路を備える容器蓋体は、飲料容器Ｃに組立または一体に形成された本体１００と、広げられる場合に前記本体１００の上部に突出されて、折られる場合に前記本体１００の内側空間１０２に収納される流出手段２００と、前記流出手段２００にねじ結合方式により密閉結合される栓３００とからなる。
【００４１】
本体１００は下部に挿入溝１０４が形成された環状縁１２４を備えており、飲料容器Ｃの開口上端部に密閉結合される。また、前記本体１００は図２０に示すように、飲料容器Ｃの下端部まで延長される形態として一体に形成することができる。このとき、前記本体１００の下端開口には下部カバー８を密閉結合する。
【００４２】
流出手段２００は、飲料容器Ｃに入れられた飲料を使用者の吸引力により流出されるようにする第１流出通路２０２と、前記飲料容器Ｃを傾ける場合に飲料が外部に流れて排出されるようにする第２流出通路２０４などの複数の流出通路を備える。
【００４３】
第１流出通路２０２は、本体１００に連結されて一体に形成されて外側に上向突出された構造の排出口２０６を含む。
【００４４】
第２流出通路２０４は、第１流出通路２０２の内部中心に支持部材２１４′を介して支持されて、また上下動できる小直径の作動流出管２１０′を設置して構成される。作動流出管２１０′は排出口２０６の上側に一定の長さだけ突出形成された上端から飲料容器Ｃの底に近接した下端まで連通される。また、作動流出管２１０′の上端に外向突起２１０ａを形成して栓３００の内向突起３０８に弾性的に係合して固定されて、前記栓３００を開放するとき、一定の長さだけ引き上げて使用者の吸引をより容易にする。一方、支持部材２１４は円周上に同間隙で少なくとも３つ設置するのがよい。
【００４５】
このような作動流出管２１０は、流出手段２００の折曲動作時に、曲がることを容易に実現するためにフレキシブルな合成樹脂材料で形成したり、下部の一側にベローズベンディング部２１２を形成する。
【００４６】
図２１は第２流出通路２０４の他の実施の形態を示す。図において、第２流出通路２０４は、第１流出通路２０２の内部に支持部材２１４′により固定された下部流出管２１０ｂと、前記下部流出管２１０ｂに差し込まれて上下移動される可動流出管２０１ｃとからなり、前記下部流出管２１０ｂにベローズベンディング部２１２を形成する。また、前記下部流出管２１０ｂに別途のストロー２１６′を差し込んで形成することができる。
【００４７】
本発明において、栓３００は内周面にねじ山を備えており、流出手段２００を構成する排出口２０６の外周面にねじ結合方式に締結され、その下端部に切取線３０２に区画された開放確認用スカート３０４を備える。開放確認用スカート３０４は排出口２０６の下部の外周に形成された突起２０６ａに固定される係合あご部を備えて開放時に切り取られるので、偽造を防止することができる。
【００４８】
ここで、栓３００は二段構造で形成し、内部の小直径部２２２を下向に延長して排出口２０６の上端が挿入されるようにし、また排出口２０６の上端内周面と緊密に密着されて密閉性を向上させるように構成する。
【００４９】
本発明において、栓３００が結合された流出手段２００は、折曲手段により本体１００の凹面空間に折られ、前記空間１０２の側壁に設置された弾性突起１１６により離脱および抜けが防止される。
【００５０】
前記流出手段２００が折られたり広げられるようにする折曲手段は、流出手段２００の折曲動作を実現するための折曲余裕部１１８と、前記折曲余裕部１１８の反対側の本体１００と流出手段２００のあいだに連結されて折曲基準軸になる折曲境界部１２０とからなる。
【００５１】
折曲余裕部１１８は流出手段２００の折曲動作をより容易に実現するために一側に折りたたみ部１２２を形成して構成される。
【００５２】
折曲手段の他の実施の形態が図２２によく示されている。ここに図示された折曲手段は、流出手段２００の下部、とくに排出口１０６の下部にベローズベディング部２２０を形成して折曲動作ができるようにしている。このような形態を取る場合、本体１００はすでに説明した構造とは異なり、飲料容器Ｃの上面一部に開口を穿孔して接着結合される。このとき、本体１００は流出手段２００が収納される空間がなく飲料容器Ｃの内部に収納設置される簡単な構造で構成することができる。
【００５３】
このような場合に、本発明の蓋体は容器Ｃの縁側の一部を切り取った形態の端部６に設置され、ベローズベンディング部２２０により折られた場合、前記容器Ｃの反対側の中間に形成された空間１０２′に収納される。
【００５４】
図２３は他の実施の形態としてよく知られた紙パックまたは合成樹脂パックの構造に本発明を適用した状態を示す。
【００５５】
実施の形態３
図２４〜２５は本発明の他の実施の形態を示す。図示したように本発明の複数の飲料流出通路を備える容器蓋体は、実施の形態１と同様に飲料容器Ｃに組立または接着される本体１００と、前記本体１００の上部に突出されて上部空間１０２″に収納される流出手段２００と、前記流出手段２００にねじ結合方式で密閉結合される栓３００とからなる。
【００５６】
そして、本体１００、流出手段２００および栓３００の構成はまた実施の形態１および２に類似する構造になっている。
【００５７】
ただ、本実施の形態では栓３００が結合された流出手段２００を収納する空間１０２″と前記流出手段２００を折曲されるようにする手段が異なっている。
【００５８】
より詳しくは、流出手段２００が折られたり広げられるようにする折曲手段は、本体１００の端部から上向に突出形成された折曲余裕部１１８′と、前記折曲余裕部１１８′の反対側の本体１００と流出手段２００のあいだに連結されて折曲基準軸になる折曲境界部１２０とからなる。折曲余裕部１１８′は本体の端部で上下に向く山のように突出形成することができ、折られたとき、流出手段２００を斜めに寝かして一部だけ収納する形態に構成する。このとき、前記流出手段２００に結合された栓３００と本体１００は固定スティッカーを用いて共に固定付着するのがよい。
【００５９】
折曲余裕部１１８′は流出手段２００の折曲動作をより容易に実現するために図２６に示すように一側に折りたたみ部１２２を形成して構成される。
【００６０】
図２７は流出手段２００を構成する第１流出通路２０２、とくに排出口２０６の内部に別途の空気流入孔２２４を形成している。空気流入孔２２４は容器Ｃを傾けて盛られた飲料を注ぐとき、外部の空気を供給して円滑な排出作用がなされるようにする。
【００６１】
一方、図２８は本体１００が缶などの飲料容器Ｃに差し込まれるとき、その結合性と密閉性を高めるために補強縁１２６をさらに形成した構造を示している。
【００６２】
実施の形態４
図２９〜３０は本発明の他の実施の形態を示す。図において、本発明の複数の飲料流出通路を備える容器蓋体は、飲料容器Ｃの上面に接着される本体１００と、前記本体１００の上部に突出形成されて折曲される流出手段２００と、前記流出手段２００にねじ結合方式に密閉結合される栓３００とからなる。
【００６３】
ここで、本体１００は密閉された状態の飲料容器Ｃの上面に高強度に接着されたもので、とくに流出手段２００を広げて立てる動作にしたがって飲料容器Ｃが切取開放されるようにする。
【００６４】
より詳しくは、本体１００の下部の縁面１２８は飲料容器Ｃに接着される。本体１００は流出手段２００が接着されるようにする手段で、上向に突出形成された折曲余裕部１１８″と、前記折曲余裕部１１８″と反対側の本体１００と流出手段２００のあいだに連結されて折曲基準軸になる折曲境界部１２０とからなる。このように構成された折曲手段により広げられて立てられる流出手段２００は実施の形態１のように排出口２０６と流出管２１０を含んで構成される。
【００６５】
流出管２１０の下端部は流出手段２００が広げられて立てられるとき、密閉された飲料容器Ｃを加圧して切取線１０が破断されるようにするので、密閉状態を解除して飲料などの内容物が流出されるようにする。
【００６６】
【発明の効果】
以上説明したように、本発明の複数の飲料流出通路を備える容器蓋体は、コーラ、ジュースまたは水などの飲料を包装する容器の開口に密閉結合されるものとして、使用者が内部の飲料を容易に吸引飲用できるようにし、また他の容器に容易に注いで排出するのに有用に適用することができる。
【００６７】
本発明は容器外部に露出される流出通路を折ったり広げられるようにして、使用者が直接吸引する出口の表面の汚染を防止することができ、飲料容器の保管および移動が便利な利点を有する。また、本発明によると飲料の通路および容器の密閉性を向上させることができる。
【図面の簡単な説明】
【図１】  本発明の実施の形態１の構成を示す斜視図および断面図である。
【図２】  本発明の実施の形態１の構成を示す斜視図および断面図である。
【図３】  本発明の実施の形態１の構成を示す斜視図および断面図である。
【図４】  本発明の実施の形態１の構成を示す斜視図および断面図である。
【図５】  本発明の実施の形態１の蓋体が容器に結合される構造を示す断面図および斜視図である。
【図６】  本発明の実施の形態１の蓋体が容器に結合される構造を示す断面図および斜視図である。
【図７】  本発明の実施の形態１の蓋体が容器に結合される構造を示す断面図および斜視図である。
【図８】  本発明の実施の形態１の蓋体が容器に結合される構造を示す断面図および斜視図である。
【図９】  本発明の実施の形態１の蓋体が容器に結合される構造を示す断面図および斜視図である。
【図１０】  本発明の実施の形態１の蓋体が容器に結合される構造を示す断面図および斜視図である。
【図１１】  本発明の実施の形態１における流出手段の構造を示す断面図である。
【図１２】  本発明の実施の形態１における流出手段の構造を示す断面図である。
【図１３】  本発明の実施の形態１における流出手段の構造を示す断面図である。
【図１４】  本発明の実施の形態１における折曲手段の構造を示す断面図である。
【図１５】  本発明の実施の形態１における折曲手段の構造を示す断面図である。
【図１６】  本発明の実施の形態１における折曲手段の構造を示す断面図である。
【図１７】  本発明の実施の形態２の構成を示す一部断面図である。
【図１８】  本発明の実施の形態２の構成を示す一部断面図である。
【図１９】  本発明の実施の形態２の構成を示す一部断面図である。
【図２０】  本発明の実施の形態２における蓋体と容器の結合構造を示す斜視図である。
【図２１】  本発明の実施の形態例２における折曲手段の構造を示す断面図である。
【図２２】  本発明の実施の形態２における容器の他の例を示す斜視図である。
【図２３】  本発明の実施の形態２による容器の他の例を示す斜視図である。
【図２４】  本発明の実施の形態３の構成を示す断面図である。
【図２５】  本発明の実施の形態３の構成を示す断面図である。
【図２６】  本発明の実施の形態３における折曲手段の構造を示す断面図である。
【図２７】  本発明の実施の形態３における流出手段の他の例を示す断面図である。
【図２８】  本発明の実施の形態３における本体の構造を示す断面図である。
【図２９】  本発明の実施の形態４の構成を示す斜視図および断面図である。
【図３０】  本発明の実施の形態４の構成を示す斜視図および断面図である。
【図３１】  本発明の実施の形態４の構成を示す斜視図および断面図である。
【図１】
0004757429.tif 000002
【図２】
0004757429.tif 000003
【図３】
0004757429.tif 000004
【図４】
0004757429.tif 000005
【図５】
0004757429.tif 000006
【図６】
0004757429.tif 000007
【図７】
0004757429.tif 000008
【図８】
0004757429.tif 000009
【図９】
0004757429.tif 000010
【図１０】
0004757429.tif 000011
【図１１】
0004757429.tif 000012
【図１２】
0004757429.tif 000013
【図１３】
0004757429.tif 000014
【図１４】
0004757429.tif 000015
【図１５】
0004757429.tif 000016
【図１６】
0004757429.tif 000017
【図１７】
0004757429.tif 000018
【図１８】
0004757429.tif 000019
【図１９】
0004757429.tif 000020
【図２０】
0004757429.tif 000021
【図２１】
0004757429.tif 000022
【図２２】
0004757429.tif 000023
【図２３】
0004757429.tif 000024
【図２４】
0004757429.tif 000025
【図２５】
0004757429.tif 000026
【図２６】
0004757429.tif 000027
【図２７】
0004757429.tif 000028
【図２８】
0004757429.tif 000029
【図２９】
0004757429.tif 000030
【図３０】
0004757429.tif 000031
【図３１】
0004757429.tif 000032